(57)【要約】【課題】充分量の風を吹き出すことができ、外観が良好なミラーキャビネットを提供する。【解決手段】キャビネット２上に、第１下流側風洞部５２Ａと第２下流側風洞部５２Ｂとが左右に並べて設けられて、第１吹出口５７Ａと第２吹出口５７Ｂとが左右に並べて配置される。第１送風機５０Ａの風が第１下流側風洞部５２Ａに第２下流側風洞部５２Ｂ側と反対側から供給され、この風が第１下流側風洞部５２Ａによって第２吹出口５７Ｂ側に傾く前方に向きを変えられて第１吹出口５７Ａから吹き出される。第２送風機５０Ｂの風が第２下流側風洞部５２Ｂに第１下流側風洞部５２Ａ側と反対側から供給され、この風が第２下流側風洞部５２Ｂによって第１吹出口５７Ａ側に傾く前方に向きを変えられて第２吹出口５７Ｂから吹き出される。【選択図】図１
2016047140.tif 000002
【特許請求の範囲】
【請求項１】
キャビネットと、このキャビネット上に設けられる、第１送風機、第１風洞部、第２送風機、および第２風洞部を備え、
前記第１風洞部は前記第１送風機から供給された風を前側に吹き出す第１吹出口を備え、
前記第２風洞部は前記第２送風機から供給された風を前側に吹き出す第２吹出口を備え、
前記第１風洞部と前記第２風洞部とが左右に並べて設けられて、前記第１吹出口と前記第２吹出口とが左右に並べて配置され、
前記第１送風機の風が前記第１風洞部に前記第２風洞部側と反対側から供給され、この風が前記第１風洞部によって前記第２吹出口側に傾く前方に向きを変えられて前記第１吹出口から吹き出され、且つ、前記第２送風機の風が前記第２風洞部に前記第１風洞部側と反対側から供給され、この風が前記第２風洞部によって前記第１吹出口側に傾く前方に向きを変えられて前記第２吹出口から吹き出されるように構成されたことを特徴とするミラーキャビネット。
【請求項２】
前記第１送風機、前記第１風洞部、前記第２送風機、および前記第２風洞部が、前後方向において同じ位置に配置され且つ平面視で前記キャビネットの厚みの範囲内に設けられたことを特徴とする請求項１に記載のミラーキャビネット。
【請求項３】
前記第１送風機、前記第１風洞部、前記第２風洞部、および前記第２送風機が、この順序で左右方向に並べて設けられたことを特徴とする請求項１または請求項２に記載のミラーキャビネット。
【請求項４】
複数の鏡扉を備え、
前記複数の鏡扉は前記キャビネットの前側に左右方向に並べて設けられ、
前記キャビネットの前側に、正面視で前記左右に並ぶ複数の鏡扉の間に位置して前方に光を発する照明装置が設けられたことを特徴とする請求項１〜３のいずれか１項に記載のミラーキャビネット。
【発明の詳細な説明】
【技術分野】
【０００１】
本発明は一般にミラーキャビネット、より詳細には送風機能を有するミラーキャビネットに関する。
【背景技術】
【０００２】
特許文献１には洗面化粧台が開示されている。この洗面化粧台は、化粧鏡と、化粧鏡の上方に設けられた上方収納庫を備えている。上方収納庫の内部には、洗面所暖房機が設けられている。洗面所暖房機は、ファン、ヒーター、および吹出口を備えており、ヒーターで加熱された空気をファンにより吹出口から吹き出す。
【先行技術文献】
【特許文献】
【０００３】
【特許文献１】特開２０１０−４６２４５号公報
【発明の概要】
【発明が解決しようとする課題】
【０００４】
ところで、特許文献１に係る発明において、吹出口から充分な量の風を吹き出すには、例えば前記ファンとして大型のファンを用いる必要がある。しかし、大型のファンを設けると、ファンが配置される箇所やファンの風が通過する箇所が部分的に大きくなり、キャビネットから前方や上方に大きく突出して外観が損なわれる恐れがある。
【０００５】
本発明は前記事情に鑑みてなされたものであって、充分量の風を吹き出すことができ、しかも、外観が良好なミラーキャビネットを提供することを課題とする。
【課題を解決するための手段】
【０００６】
本発明のミラーキャビネットは、キャビネットと、このキャビネット上に設けられる、第１送風機、第１風洞部、第２送風機、および第２風洞部を備え、前記第１風洞部は前記第１送風機から供給された風を前側に吹き出す第１吹出口を備え、前記第２風洞部は前記第２送風機から供給された風を前側に吹き出す第２吹出口を備え、前記第１風洞部と前記第２風洞部とが左右に並べて設けられて、前記第１吹出口と前記第２吹出口とが左右に並べて配置され、前記第１送風機の風が前記第１風洞部に前記第２風洞部側と反対側から供給され、この風が前記第１風洞部によって前記第２吹出口側に傾く前方に向きを変えられて前記第１吹出口から吹き出され、且つ、前記第２送風機の風が前記第２風洞部に前記第１風洞部側と反対側から供給され、この風が前記第２風洞部によって前記第１吹出口側に傾く前方に向きを変えられて前記第２吹出口から吹き出されるように構成されたことを特徴とする。
【発明の効果】
【０００７】
本発明にあっては、充分量の風を吹き出すことができ、外観が良好なミラーキャビネットを提供できる。
【図面の簡単な説明】
【０００８】
【図１】本発明の実施形態のミラーキャビネットの上部を示す斜視図である。
【図２】前記ミラーキャビネットを含む洗面化粧台の正面図である。
【図３】図２のＡ−Ａ′断面図である。
【図４】前記ミラーキャビネットの照明装置の斜視図である。
【図５】図３のＢ部拡大図である。
【図６】前記照明装置の光源を示す斜視図である。
【図７】前記ミラーキャビネットの第１送風ユニットの水平断面図である。
【図８】前記第１送風ユニットの斜視図である。
【図９】前記第１送風ユニットの送風機の側面図である。
【図１０】他例の送風ユニットを設置したミラーキャビネットの上部を示す斜視図である。
【図１１】他例の第１送風ユニットの水平断面図である。
【発明を実施するための形態】
【０００９】
以下、本発明の実施形態について、図面を参照しながら説明する。図１は本実施形態のミラーキャビネット１の上部を示す斜視図である。図２は本実施形態のミラーキャビネット１を利用した洗面化粧台７の正面図である。
【００１０】
以下では洗面化粧台７の設置状態における方向を用いて、洗面化粧台７の各構成要素について説明する。具体的には、図１においてＤ１に示す方向を前方、Ｄ２に示す方向を左方、図３に示す方向を上方として説明する。
【００１１】
洗面化粧台７は例えば洗面所に設置される。図２に示すように、洗面化粧台７は、洗面台８と、ミラーキャビネット１を備えている。
【００１２】
洗面台８はその背面が部屋の壁に沿った状態で床上に設置される。ミラーキャビネット１はその背面が部屋の壁に沿った状態で洗面台８の上方に設けられる。なお、ミラーキャビネット１は部屋の壁において洗面台８の上方に位置する部分に固定されてもよいし、部屋の壁には固定されず洗面台８上に設置されてもよい。
【００１３】
洗面台８の上端部には、洗面ボウル８０が設けられている。洗面ボウル８０の後端部には、上方に突出した立上壁部８１が設けられている。立上壁部８１には、洗面ボウル８０に水を吐出する吐水部８２と、吐水部８２から吐出される水の量を調節（吐水の有無を含む）するための操作部８３が設けられている。
【００１４】
ミラーキャビネット１は、キャビネット２、複数の照明装置３Ａ，３Ｂ、複数の鏡扉４Ａ，４Ｂ，４Ｃ、および複数の送風ユニット５Ａ，５Ｂを備えている。
【００１５】
キャビネット２は洗面台８の立上壁部８１の上方に配置される。
【００１６】
図３に示すように、キャビネット２は複数の収納部２０Ａ，２０Ｂ，２０Ｃを備えている。本実施形態では、キャビネット２の左右方向における両側と中央の計三箇所に、収納部２０Ａ，２０Ｂ，２０Ｃが形成されている。
【００１７】
各収納部２０Ａ，２０Ｂ，２０Ｃは、キャビネット２に形成された、前方に開口する凹部で構成されている。各収納部２０Ａ，２０Ｂ，２０Ｃの内側は、物品を収納するための収納空間になっている。
【００１８】
キャビネット２には２つの仕切壁部２１Ａ，２１Ｂが左右方向に離間して形成されている。左側の仕切壁部２１Ａは、左側の収納部２０Ａと中央の収納部２０Ｂを左右に分割するように仕切っている。右側の仕切壁部２１Ｂは、中央の収納部２０Ｂと右側の収納部２０Ｃを左右に分割するように仕切っている。
【００１９】
各仕切壁部２１Ａ，２１Ｂの前面には、前側に向かって光を発する照明装置３Ａ，３Ｂが取り付けられている。なお、両照明装置３Ａ，３Ｂは同様の構成を有している。このため、以下では一方の照明装置３Ａについて詳述し、他方の照明装置３Ｂにおいて照明装置３Ａと同一の構成要素については同一の符号を付し、共通する点については説明を省略する。
【００２０】
図４に照明装置３Ａを示す。照明装置３Ａは導光部材３０（図５参照）と光源３１（図６参照）を備えている。図５に示す導光部材３０は、縦長棒状であって対応する仕切壁部２１Ａの上下方向の全長に亘っている。導光部材３０は透光性を有している。導光部材３０は、入光部（不図示）、拡散反射部３３、および出光部３４を備えている。
【００２１】
入光部は導光部材３０の長さ方向の端面で構成されている。本実施形態の入光部は、導光部材３０の上端面である。入光部は図６に示す光源３１の下方に配置されて光源３１に対向している。光源３１から発した光は、入光部から導光部材３０に入る。
【００２２】
なお、本実施形態の照明装置３Ａは、光源３１が導光部材３０の上方にのみ設けられているが、光源３１は導光部材３０の下方にのみ、あるいは導光部材３０の上方および下方の夫々に設けられてもよい。光源３１が導光部材３０の下方にのみ設けられる場合、入光部は導光部材３０の下端面となる。また、光源３１が導光部材３０の上方および下方の夫々に設けられる場合、導光部材３０の上端面および下端面が入光部となる。
【００２３】
図５に示す拡散反射部３３は、導光部材３０の後面に設けられている。拡散反射部３３は、例えば二色成形によって拡散反射部分を設けたり、導光部材３０の後面に印刷や蒸着によって反射性の物質を設けたり、微細な凹凸を設けたりすることで形成される。入光部から導光部材３０に入射した光は、導光部材３０の内部を下方に向かって進行する過程において拡散反射部３３で拡散して前側に反射する。
【００２４】
出光部３４は導光部材３０の前面である。出光部３４は拡散反射部３３で反射した光を前側に出射する。
【００２５】
図６に示す本実施形態の光源３１は、発光ダイオードである。なお、光源３１は発光ダイオードに限られず、電球等であってもよい。
【００２６】
図３に示すように、キャビネット２の前面には、収納部２０Ａ〜２０Ｃ毎に鏡扉４Ａ〜４Ｃが設けられている。各鏡扉４Ａ〜４Ｃは対応する収納部２０Ａ〜２０Ｃの前側を閉塞する。各鏡扉４Ａ〜４Ｃはキャビネット２に対して上下軸回りに回転可能に取り付けられている。ここで、上下軸回りとは鏡扉４Ａ〜４Ｃの回転軸方向が上下方向と平行であることを意味する。
【００２７】
なお、本実施形態ではキャビネット２が３つの収納部２０Ａ〜２０Ｃを備えているが、キャビネット２には１または２、あるいは４以上の収納部が設けられてもよい。また、ミラーキャビネット１は、１又は２、あるいは４枚以上の鏡扉を備えてもよい。
【００２８】
ユーザーが各鏡扉４Ａ〜４Ｃを前後に回転することで、対応する収納部２０Ａ〜２０Ｃの前側が開閉される。各鏡扉４Ａ〜４Ｃの前面は鏡面になっている。このため、ユーザーはミラーキャビネット１を三面鏡として利用できる。
【００２９】
なお、以下では、各扉４Ａ〜４Ｃが対応する収納部２０Ａ，２０Ｂ，２０Ｃを閉塞した状態について説明する。
【００３０】
左右の照明装置３Ａ，３Ｂのうち左側の照明装置３Ａは、左側の鏡扉４Ａと中央の鏡扉４Ｂの間に位置している。また、右側の照明装置３Ｂは、中央の鏡扉４Ａと右側の鏡扉４Ｃの間に位置している。
【００３１】
照明装置３Ａの光源３１が発光すると、光源３１から発した光は、入光部から導光部材３０に入り、この後、拡散反射部３３で拡散して前側に反射し、出光部３４から鏡扉４Ａ〜４Ｃよりも前側の領域に出射する。このため、ユーザーは出光部３４から前側に発した光を利用して、化粧等を行うことができる。
【００３２】
本実施形態の照明装置３Ａは、図５に示すカバー３５を備えている。カバー３５は出光部３４の前側に設けられている。カバー３５は透光性を有している。出光部３４から出射した光は、カバー３５を透過して前側に出射する
なお、カバー３５は省略可能である。また、本実施形態の各照明装置３Ａ，３Ｂは、出光部３４が左右方向に隣り合う鏡扉４Ａ，４Ｂの間又は鏡扉４Ｂ，４Ｃの間に位置している。しかし、各照明装置３Ａ，３Ｂの出光部３４は、正面視で左右の鏡扉４Ａ，４Ｂ又は鏡扉４Ｂ，４Ｃの間に位置するのであれば、左右の鏡扉４Ａ，４Ｂ又は鏡扉４Ｂ，４Ｃよりも前方または後方に位置してもよい。また、照明装置３Ａ，３Ｂは、仕切壁部２１Ａ，２１Ｂの前面に上下に複数並べて設けられた光源（例えば発光ダイオード）で構成されてもよい。また、照明装置３Ａ，３Ｂは、仕切壁部２１Ａ，２１Ｂに設けられた縦長の蛍光灯で構成されてもよい。また、本実施形態のミラーキャビネット１は照明装置３Ａ，３Ｂを備えているが、照明装置３Ａ，３Ｂは省略可能である。
【００３３】
図１に示すように、キャビネット２上には、第１送風ユニット５Ａと第２送風ユニット５Ｂが左右方向に並べて設置されている。第１送風ユニット５Ａと第２送風ユニット５Ｂは左右対称である。
【００３４】
なお、以下では両送風ユニット５Ａ，５Ｂのうち第１送風ユニット５Ａについて詳述し、第２送風ユニット５Ｂについての詳細な説明は省略する。また、第２送風ユニット５Ｂの各構成要素には、第１送風ユニット５Ａの対応する構成要素に付された符号のアルファベットを「Ａ」から「Ｂ」に変えた符号を付す。
【００３５】
第１送風ユニット５Ａは第２送風ユニット５Ｂの左側に隣接している。図７に示すように、第１送風ユニット５Ａは、送風機５０Ａと、送風機５０Ａの上流側および下流側の夫々に位置する風洞部５１Ａ，５２Ａを備えている。
【００３６】
以下、必要に応じて、第１送風ユニット５Ａの送風機５０Ａ及び風洞部５１Ａ，５２Ａを、第１送風機５０Ａ、第１風洞部５１Ａ，５２Ａと記載する。また、第２送風ユニット５Ｂの送風機５０Ｂ及び風洞部５１Ｂ，５２Ｂを、夫々、第２送風機５０Ｂ、第２風洞部５１Ｂ，５２Ｂと記載する。また、両第１風洞部５１Ａ，５２のうち、第１送風機５０Ａの上流側に位置する第１風洞部５１Ａを第１上流側風洞部５１Ａと記載し、第１送風機５０Ａの下流側に位置する第１風洞部５２Ａを第１下流側風洞部５２Ａと記載する。また、両第２風洞部５１Ｂ，５２Ｂのうち、第２送風機５０Ｂの上流側に位置する第２風洞部５１Ｂを第２上流側風洞部５１Ｂと記載し、第２送風機５０Ｂの下流側に位置する第２風洞部５２Ｂを第２下流側風洞部５２Ｂと記載する。
【００３７】
図８に示すように第１送風機５０Ａ、第１上流側風洞部５１Ａ、および第１下流側風洞部５２Ａは、ユニット化されている。第１送風ユニット５Ａは、全体として長さ方向が左右方向と平行な箱状に形成されている。
【００３８】
図９に第１送風機５０Ａを示す。本実施形態の第１送風機５０Ａは、枠体５３Ａ、モーター５４Ａ、および回転翼５５Ａを備えている。第１送風機５０Ａは軸流送風機であって、回転翼５５Ａの回転軸方向の一方側から空気を吸い込み、この空気を回転翼５５Ａの回転軸方向の他方側に送る。枠体５３Ａは左右方向を軸方向とする短筒状に形成されている。モーター５４Ａは枠体５３Ａの内側に設けられている。回転翼５５Ａはモーター５４Ａに接続されており、モーター５４Ａの駆動により左右軸回りに回転する。
【００３９】
図７に示すように、第１上流側風洞部５１Ａは第１送風機５０Ａの枠体５３Ａの左側（第２送風ユニット５Ｂ側とは反対側）に隣接し、第１下流側風洞部５２Ａは第１送風機５０Ａの枠体５３Ａの右側（第２送風ユニット５Ｂ側）に隣接している。
【００４０】
第１上流側風洞部５１Ａは前方および右側に開口した箱状に形成されている。第１上流側風洞部５１Ａの前端部には、第１吸込口５６Ａが形成されている。第１上流側風洞部５１Ａの右側端部は、第１送風機５０Ａの枠体５３Ａの左側端部に接続されている。
【００４１】
第１下流側風洞部５２Ａは、前方および左方に開口した箱状に形成されている。第１下流側風洞部５２Ａは第１上流側風洞部５１Ａよりも左右方向の長さが長い。第１下流側風洞部５２Ａの前端部には、吹出口５７Ａが形成されている。第１下流側風洞部５２Ａの左側端部は、第１送風機５０Ａの枠体５３Ａの右側端部に接続されている。
【００４２】
以下、必要に応じて、第１送風ユニット５Ａの吸込口５６Ａを第１吸込口５６Ａと記載し、第２送風ユニット５Ｂの吸込口５６Ｂを第２吸込口５６Ｂと記載する。また、第１送風ユニット５Ａの吹出口５７Ａを第１吹出口５７Ａと記載し、第２送風ユニット５Ｂの吹出口５７Ｂを第２吹出口５７Ｂと記載する。
【００４３】
なお、本実施形態では、各送風ユニット５Ａ，５Ｂの上流側の風洞部５１Ａ，５１Ｂには、吸込口５６Ａ，５６Ｂを介して前側から風が入るように構成されているが、前側以外の方向から風が入るように構成されてもよい。図１０にこの例を示す。
【００４４】
図１０に示すミラーキャビネット１は、第１吸込口５６Ａが第１上流側風洞部５１Ａの左側端部に設けられている。また、第２吸込口５６Ｂが第２上流側風洞部５１Ｂの右側端部に設けられている。このミラーキャビネット１にあっては、第１上流側風洞部５１Ａに第１吸込口５６Ａを介して第１送風機５０Ａ側と反対側から風が入り、第２上流側風洞部５１Ｂに第２吸込口５６Ｂを介して第２送風機５０Ｂ側と反対側から風が入る。
【００４５】
また、各送風ユニット５Ａ，５Ｂの風洞部５１Ａ、５１Ｂ，５２Ａ，５２Ｂには、図１１に示すように整流板５９Ａ，６０Ａが設けられてもよい。
【００４６】
図１１に示す例では、第１送風ユニット５Ａの上流側の風洞部５１Ａに、後方に近い部分程第１送風機５０Ａ側に位置するように湾曲した整流板５９Ａが設けられている。整流板５９Ａは第１吸込口５６Ａから導入された風の向きを第１送風機５０Ａ側に変更する。また、図１１に示す例では、第１送風ユニット５Ａの上流側の風洞部５２Ａに、前方に近い部分程第１送風機５０Ａ側とは反対側に位置するように湾曲した整流板６０Ａが設けられている。整流板６０Ａは第１送風機５０Ａから供給された風の向きを前向きに変更する。
【００４７】
図１に示す本実施形態の各送風ユニット５Ａ，５Ｂの吸込口５６Ａ，５６Ｂおよび吹出口５７Ａ，５７Ｂの夫々には、ルーバー５８が設けられている。各ルーバー５８は、対応する風洞部５１Ａ，５１Ｂ，５２Ａ，５２Ｂに固定されており、前下がりで傾斜している。
【００４８】
第１下流側風洞部５２Ａと第２下流側風洞部５２Ｂは、左右に隣接している。第１上流側風洞部５１Ａ、第１送風機５０Ａ、第１下流側風洞部５２Ａ、第２下流側風洞部５２Ｂ、第２送風機５０Ｂ、および第２上流側風洞部５１Ｂが、この順序で左側から右側に向かって順に配置されている。これら第１上流側風洞部５１Ａ、第１送風機５０Ａ、第１下流側風洞部５２Ａ、第２下流側風洞部５２Ｂ、第２送風機５０Ｂ、および第２上流側風洞部５１Ｂは、前後方向および上下方向において同じ位置に配置されている。
【００４９】
第１上流側風洞部５１Ａ、第１送風機５０Ａ、第１下流側風洞部５２Ａ、第２下流側風洞部５２Ｂ、第２送風機５０Ｂ、および第２上流側風洞部５１Ｂの夫々の前後寸法は、キャビネット２の前後寸法よりも小さい。第１上流側風洞部５１Ａ、第１送風機５０Ａ、第１下流側風洞部５２Ａ、第２下流側風洞部５２Ｂ、第２送風機５０Ｂ、および第２上流側風洞部５１Ｂは、平面視で、キャビネット２の厚みの範囲内に設けられている。すなわち、第１上流側風洞部５１Ａ、第１送風機５０Ａ、第１下流側風洞部５２Ａ、第２下流側風洞部５２Ｂ、第２送風機５０Ｂ、および第２上流側風洞部５１Ｂは、平面視でキャビネット２の前端から後端までの範囲内に設けられている。
【００５０】
なお、第１上流側風洞部５１Ａ、第１送風機５０Ａ、第１下流側風洞部５２Ａ、第２下流側風洞部５２Ｂ、第２送風機５０Ｂ、及び第２下流側風洞部５２Ｂは、前後方向又は上下方向において異なる位置に配置されてもよい。また、第１上流側風洞部５１Ａ、第１送風機５０Ａ、第１下流側風洞部５２Ａ、第２下流側風洞部５２Ｂ、第２送風機５０Ｂ、及び第２下流側風洞部５２Ｂは、キャビネット２よりも前方に突出してもよい。
【００５１】
両送風ユニット５Ａ，５Ｂの境界は、左右方向においてキャビネット２の中心と同じ位置に位置し、第１吹出口５７Ａおよび第２吹出口５７Ｂは、中央の収納部２０Ｂの上方に位置している。
【００５２】
各送風ユニット５Ａ，５Ｂは、送風機５０Ａ，５０Ｂのモーター５４Ａ，５４Ｂの駆動により、吹出口５７Ａ，５７Ｂから前側に向かって風を吹き出す。すなわち、第１送風ユニット５Ａは、第１送風機５０Ａの回転翼５５Ａが回転したとき、第１吸込口５６Ａの前側の空気が第１吸込口５６Ａから第１上流側風洞部５１Ａに吸い込まれる。この空気は、第１送風機５０Ａの枠体５３Ａの内側を通過した後、第１下流側風洞部５２Ａを介して第１吹出口５７Ａから前側に吹き出される。また、第２送風ユニット５Ｂは、第２送風機５０Ｂの回転翼５５Ｂが回転したとき、第２吸込口５６Ｂの前側の空気が第２上流側風洞部５１Ｂに吸い込まれる。この空気は第２送風機５０Ｂの枠体５３Ｂの内側を通過した後、第２下流側風洞部５２Ｂを介して第２吹出口５７Ｂから前側に吹き出される。
【００５３】
本実施形態の各送風ユニット５Ａ，５Ｂは、吹出口５７Ａ，５７Ｂに設けられたルーバー５８により、吹出口５７Ａ，５７Ｂから下向きの速度成分を含む前側に向かって風を吹き出す。
【００５４】
なお、本実施形態の各ルーバー５８は前下がりで傾斜しているが、水平であってもよい。すなわち、この場合は、各送風ユニット５Ａ，５Ｂの吹出口５７Ａ，５７Ｂから、上下方向の速度成分をほとんど含まない風が前側に吹き出される。
【００５５】
また、各ルーバー５８は、例えば風洞部５１Ａ，５１Ｂ，５２Ａ，５２Ｂに対して横軸回りに回転可能に設けられてもよい。このようにすると、ユーザーはルーバー５８を回転して、各送風ユニット５Ａ，５Ｂの吸込口５６Ａ，５６Ｂから吸い込まれる風の向きや、各送風ユニット５Ａ，５Ｂの吹出口５７Ａ，５７Ｂから吹き出される風の向きを上下に変更できる。この場合、ルーバー５８の回転は手動で行われてもよい。この場合、第１吹出口５７Ａから吹き出される風と第２吹出口５７Ｂから吹き出される風が接触するように、第１吹出口５７Ａのルーバー５８の向きと第２吹出口５７Ｂのルーバー５８の向きは同じ向きになるように連結されることが好ましい。また、ルーバー５８は例えばモーターの駆動により自動で行われてもよい。この場合、第１吹出口５７Ａから吹き出される風と第２吹出口５７Ｂから吹き出される風が接触するように、第１吹出口５７Ａのルーバー５８の向きと第２吹出口５７Ｂのルーバー５８の向きは同じ向きになるようにモーターの駆動が制御されることが好ましい。さらには、各ルーバー５８は省略可能である。
【００５６】
中央の鏡扉４Ｂの前方に居る、ミラーキャビネット１のユーザーは、各送風ユニット５Ａ，５Ｂの吹出口５７Ａ，５７Ｂから吹き出される風を受けて涼をとることができる。
【００５７】
なお、本実施形態において吹出口５７Ａ，５７Ｂから吹き出される風は、常温の風であるが、例えば各送風ユニット５Ａ，５Ｂの送風機５０Ａ，５０Ｂによって流れる風の通過する位置にヒーターを設けることで、各吹出口５７Ａ，５７Ｂから温風が吹き出されるようにしてもよい。
【００５８】
各送風ユニット５Ａ，５Ｂは、送風機５０Ａ，５０Ｂから送り出された風が下流側の風洞部５２Ａ，５２Ｂに横から導入され、この風は下流側の風洞部５２Ａ，５２Ｂにおいて前側に向きを変えた後、吹出口５７Ａ，５７Ｂから吹き出される。このため、第１吹出口５７Ａ及び第２吹出口５７Ａの夫々から吹き出される風は、左右方向の速度成分を含む。すなわち、第１吹出口５７Ａから吹き出される風は、右方且つ下方に傾き、前向き、下向き、および右向きの速度成分を含む。また、第２吹出口５７Ｂから吹き出される風は、左方且つ下方に傾き、前向き、下向き、および右向きの速度成分を含む。
【００５９】
各送風ユニット５Ａ，５Ｂの送風機５０Ａ，５０Ｂは、同時に駆動されるように設定されている。このため、第１吹出口５７Ａから吹き出された風と第２吹出口５７Ｂから吹き出された風は、互いに接触して前側に向きが変えられる。すなわち、第１吹出口５７Ａから吹き出された風の右向きの速度成分と、第２吹出口５７Ｂから吹き出された風の左向きの速度成分とが打ち消し合い、この結果、各吹出口５７Ａ，５７Ｂから吹き出された風は左右方向の速度成分が小さい風となって前側に送り出される。従って、中央の鏡扉４Ｂの前方に居るユーザーには、両吹出口５７Ａ，５７Ｂから吹き出された風が略正面から当たるようになっている。
【００６０】
なお、本実施形態では第１下流側風洞部５２Ａと第２下流側風洞部５２Ｂが左右に隣接している。しかし、第１吹出口５７Ａから吹き出された風と第２吹出口５７Ｂから吹き出された風が互いに接触して前側に向きが変えられるのであれば、第１下流側風洞部５２Ａと第２下流側風洞部５２Ｂは左右方向に離間していてもよい。また、第１送風機５０Ａと第２送風機５０Ｂは、常に同時に駆動されるように構成されてもよいし、両者を同時に駆動するモードと、両者を個別に駆動するモードとを切り替えて利用されてもよい。
【００６１】
以上説明した本実施形態のミラーキャビネット１は、以下に示す第１の特徴を有している。ミラーキャビネット１は、キャビネット２、第１送風機５０Ａ、第１下流側風洞部５２Ａ、第２送風機５０Ｂ、および第２下流側風洞部５２Ｂを備える。第１送風機５０Ａ、第１下流側風洞部５２Ａ、第２送風機５０Ｂ、および第２下流側風洞部５２Ｂが、キャビネット２上に設けられる。第１下流側風洞部５２Ａは第１送風機５０Ａから供給された風を前側に吹き出す第１吹出口５７Ａを備える。第２下流側風洞部５２Ｂは第２送風機５０Ｂから供給された風を前側に吹き出す第２吹出口５７Ｂを備える。第１下流側風洞部５２Ａと第２下流側風洞部５２Ｂとが左右に並べて設けられて、第１吹出口５７Ａと第２吹出口５７Ｂとが左右に並べて配置される。第１送風機５０Ａの風が第１下流側風洞部５２Ａに第２下流側風洞部５２Ｂ側と反対側から供給され、この風が第１下流側風洞部５２Ａによって第２吹出口５７Ｂ側に傾く前方に向きを変えられて第１吹出口５７Ａから吹き出される。且つ、第２送風機５０Ｂの風が第２下流側風洞部５２Ｂに第１下流側風洞部５２Ａ側と反対側から供給され、この風が第２下流側風洞部５２Ｂによって第１吹出口５７Ａ側に傾く前方に向きを変えられて第２吹出口５７Ｂから吹き出される。
【００６２】
この第１の特徴を有するミラーキャビネット１は、第１送風機５０Ａから送り出された風を第１吹出口５７Ａから前側に吹き出し、第２送風機５０Ｂから送り出された風を第２吹出口５７Ｂから前側に吹き出す。このため、ミラーキャビネット１を利用するユーザーは、この風を受けて涼をとることができる。また、第１吹出口５７Ａ及び第２吹出口５７Ｂの夫々から常温の風を吹き出すようにした場合、夏場などの気温が高いときに鏡扉４Ａ〜４Ｃを利用して化粧をするユーザーは、この風を受けて汗をかき難くなり、化粧をしやすくなる。
【００６３】
また、第１送風機５０Ａと第２送風機５０Ｂの２つの送風機５０Ａ，５０Ｂを用いるため、送風機を１つだけ利用する場合と比較して、各送風機５０Ａ，５０Ｂおよび各風洞部５２Ａ，５２Ｂを小型化できる。このため、第１送風機５０Ａ、第１下流側風洞部５２Ａ、第２送風機５０Ｂ、および第２下流側風洞部５２Ｂを、キャビネット２上に分散して配置してキャビネット２から前方や上方に大きく突出することを抑制し、ミラーキャビネット１の外観を良好にできる。
【００６４】
また、キャビネット２上に設けられた第１送風機５０Ａおよび第２送風機５０Ｂは、鏡扉４Ａ〜４Ｃに顔を近づけたユーザーの耳に近い位置に配置されるため、回転数を多くするとユーザーにとって不快に感じる音が発生する可能性がある。しかし、第１の特徴を有するミラーキャビネット１は、２つの送風機５０Ａ，５０Ｂを用いるため、送風機を１つだけ用いる場合と比較して、各送風機５０Ａ，５０Ｂの回転数を抑えることができる。このため、ユーザーにとって不快に感じる音が発生することを抑制できる。
【００６５】
また、第１吹出口５７Ａから第２吹出口５７Ｂ側に傾く前方に向かって吹き出された風と、第２吹出口５７Ｂから第１吹出口５７Ａ側に傾く前方に向かって吹き出された風は、互いに接触し、左右方向の速度成分の小さい風になって前側に送り出される。このため、両吹出口５７Ａ，５７Ｂから吹き出された風を、ミラーキャビネット１の前方に居るユーザーに対して略正面から当たるようにできる。また、この場合、第１吹出口５７Ａおよび第２吹出口５７Ｂには、吹き出される風の左右方向の速度成分を小さくするためのルーバー等を別途設ける必要がない。このため、第１吹出口５７Ａと第２吹出口５７Ｂを左右に並べて配置しない場合と比較して、構造を簡略化できる。
【００６６】
また、ミラーキャビネット１は以下に示す第２の特徴を有することが好ましい。第１送風機５０Ａ、第１下流側風洞部５２Ａ、第２送風機５０Ｂ、および第２下流側風洞部５２Ｂが、前後方向において同じ位置に配置され且つ平面視でキャビネット２の厚みの範囲内に設けられる。
【００６７】
このミラーキャビネット１は、キャビネット２の前後厚みが小さい場合にも、第１送風機５０Ａ、第１下流側風洞部５２Ａ、第２送風機５０Ｂ、および第２下流側風洞部５２Ｂを、平面視でキャビネット２の厚みの範囲内に位置するように設けることができる。また、第１送風機５０Ａ、第１下流側風洞部５２Ａ、第２送風機５０Ｂ、および第２下流側風洞部５２Ｂがキャビネット２から前方に突出せず、ミラーキャビネット１の外観を一層良くすることができる。また、ミラーキャビネット１を利用するユーザーは、第１送風機５０Ａ、第１下流側風洞部５２Ａ、第２送風機５０Ｂ、および第２下流側風洞部５２Ｂに接触し難くなり、使い勝手が良くなる。
【００６８】
また、ミラーキャビネット１は以下に示す第３の特徴を有することが好ましい。第１送風機５０Ａ、第１下流側風洞部５２Ａ、第２下流側風洞部５２Ｂ、および第２送風機５０Ｂが、この順序で左右方向に並べて設けられる。
【００６９】
この第３の特徴を有するミラーキャビネット１は、キャビネット２上に、第１送風機５０Ａ、第１下流側風洞部５２Ａ、第２下流側風洞部５２Ｂ、および第２送風機５０Ｂを左右に並べて配置される。このため、第１送風機５０Ａ、第１下流側風洞部５２Ａ、第２下流側風洞部５２Ｂ、および第２送風機５０Ｂを、キャビネット２上にバランス良く配置してキャビネット２の前方や上方に大きく突出することを一層抑制できる。
【００７０】
また、ミラーキャビネット１は以下に示す第４の特徴を有することが好ましい。
ミラーキャビネット１は、複数の鏡扉４Ａ〜４Ｃを備える。複数の鏡扉４Ａ〜４Ｃはキャビネット２の前側に左右方向に並べて設けられる。キャビネット２の前側に、正面視で左右に並ぶ複数の鏡扉４Ａ〜４Ｃの間に位置して前方に光を発する照明装置３Ａ，３Ｂが設けられる。
【００７１】
この第４の特徴を有するミラーキャビネット１は、正面視で左右に並ぶ複数の鏡扉４Ａ〜４Ｃの間に位置する照明装置３Ａ，３Ｂから前側に光を発することができる。このため、ユーザーは照明装置３Ａ，３Ｂから発する光を利用しながら、ミラーキャビネット１を用いることができる。また、キャビネット２上に照明装置を設けなくてもよくなり、この場合、キャビネット２上のスペースを利用して、第１送風機５０Ａ、第１下流側風洞部５２Ａ、第２送風機５０Ｂ、および第２下流側風洞部５２Ｂを配置できる。
【００７２】
なお、本発明は上述した実施形態に限られず、本発明の趣旨を逸脱しない範囲で適宜設計変更可能である。
【符号の説明】
【００７３】
１  ミラーキャビネット
２  キャビネット
２０Ａ  収納部
２０Ｂ  収納部
２０Ｃ  収納部
３Ａ  照明装置
３Ｂ  照明装置
４Ａ  鏡扉
４Ｂ  鏡扉
４Ｃ  鏡扉
５０Ａ  第１送風機
５０Ｂ  第２送風機
５２Ａ  第１下流側風洞部（第１風洞部）
５２Ｂ  第２下流側風洞部（第２風洞部）
５７Ａ  第１吹出口
５７Ｂ  第２吹出口
【図１】
2016047140.tif 000003
【図２】
2016047140.tif 000004
【図３】
2016047140.tif 000005
【図４】
2016047140.tif 000006
【図５】
2016047140.tif 000007
【図６】
2016047140.tif 000008
【図７】
2016047140.tif 000009
【図８】
2016047140.tif 000010
【図９】
2016047140.tif 000011
【図１０】
2016047140.tif 000012
【図１１】
2016047140.tif 000013